(57)【特許請求の範囲】
【請求項１】
上面と正面に開口したボックス形の外ケースに、上方に開口したボックス形の内ケースが引き出し可能に設けられ、これが上下に多段積み重ねられて連結され、最上段の外ケース上面には、上板がはめ込まれてなる高さ方向に細長い収納ケースにおける収納ケースの転倒を防止する留具であって、
所要の長さを有する帯板部の一端部が、収納ケースに取り付けられるケース取付部とされると共に、
他端部が、構築物に固定する固定部とされ、
ケース取付部が、帯板部の厚さより十分大きい太さを有し、外ケースに上板がはめ込まれたとき、上板の周壁の内側に位置し得る大きさに形成された
ことを特徴とする収納ケース用留具。
【請求項２】
前記各外ケースには、上端部に凸状の係合部が設けられる一方、下端部には、この係合部に嵌合する溝状の被係合部が設けられて多段積み構造とされ、
上板の下端部に、前記外ケースに形成された係合部に嵌合する溝状の被係合部が形成され、
ケース取付部が、帯板部の一端部を掛け回す係止具であって、帯板部の厚さより十分大きい太さを有し、且つ、前記溝状の被係合部に嵌まり得る太さからなる係止具からなる
ことを特徴とする請求項１に記載の収納ケース用留具。
【発明の詳細な説明】
【０００１】
【発明の属する技術分野】
本発明は、引き出しが多段に設けられ、衣類や玩具等を収納する幅狭で高い収納ケースに設置され、収納ケースが使用時に倒れないようにする収納ケース用留具に関するものである。
【０００２】
【従来の技術】
衣類、玩具、雑貨等を収納するのに、従来から、収納ケースが使用されている。これは、引き出しが多段にわたって上下に設けられているもので、最近では収納スペースを増やす為に高段に積み重ねられる一方、幅狭なスペースの有効利用を図るために幅を狭くして高さ方向に細長な収納ケースが使用されることが多く、幅に対して高さの比率が大きく例えば、幅対高さが１：６〜１０のものがある。
【０００３】
【発明が解決しようとする課題】
しかしながら、幅が狭くなる一方、高さが増したことで普段使用する際に、収納ケース自体が左右に傾いたり、ときには倒れたりしてしまうおそれが生じている。
【０００４】
本発明は、上記事情に鑑みてなされたものであり、その主たる目的は、幅狭で高さの高い収納ケースに特別な設計変更を伴うことなく、容易に取り付けることができ、且つ収納ケースの転倒を防止することができる収納ケース用留具を提供することにある。
【０００５】
【課題を解決するための手段】
上記課題を解決するために、本発明は、上面と正面に開口したボックス形の外ケースに、上方に開口したボックス形の内ケースが引き出し可能に設けられ、これが上下に多段積み重ねられて連結され、最上段の外ケース上面には、上板がはめ込まれてなる高さ方向に細長い収納ケースにおける収納ケースの転倒を防止する留具であって、所要の長さを有する帯板部の一端部が、収納ケースに取り付けられるケース取付部とされると共に、他端部が、構築物に固定する固定部とされ、ケース取付部が、帯板部の厚さより十分大きい太さを有し、外ケースに上板がはめ込まれたとき、上板の周壁の内側に位置し得る大きさに形成されたことを特徴とする収納ケース用留具である。
【０００６】
また、好ましくは上記構成に加えて、前記各外ケースには、上端部に凸状の係合部が設けられる一方、下端部には、この係合部に嵌合する溝状の被係合部が設けられて多段積み構造とされ、上板の下端部に、前記外ケースに形成された係合部に嵌合する溝状の被係合部が形成され、ケース取付部が、帯板部の一端部を掛け回す係止具であって、帯板部の厚さより十分大きい太さを有し、且つ、前記溝状の被係合部に嵌まり得る太さからなる係止具からなることを特徴とする収納ケース用留具である。
【０００７】
【発明の実施の形態】
以下、本発明の収納ケース用留具を実施例に基づき更に詳細に説明する。
【０００８】
図１及び図２は、本発明の収納ケース用留具の一実施例を示す図であり、図１は、収納ケース上端部への取付時の状態を示す分解斜視図であり、図２は取付状態の縦断面図である。また、図３と図４は、この留具が設置された収納ケースを示す図であり、図３は縦断面図、図４は正面図であり、図５は、この留具が設置された状態の上板２０の底面図である。
通常、収納ケースは、少なくとも上面と正面が開口したボックス形の外ケース１０に、上方にのみ開口したボックス形の内ケース１１が引き出し可能に設けられてなる（図３、図６）。
【０００９】
そして、各段を構成する各外ケース１０と各内ケース１１は、それぞれ部材が共通であり、この外ケース１０と内ケース１１が組み合わされたものが、多段積み重ねられ収納ケースを構成する。よって、積み重ねる数は適宜に増加可能であり、最近では例えば８段〜１０段積み重ねられる。
また、最上段の外ケース１０の上面には、上板２０が外ケース１０に代えて設けられる。
【００１０】
本実施例では、各外ケース１０の上端部には上方に突出して凸形状の係合部１０ａが形成されている（図１）。また、上板２０の下端部には、溝状の被係合部２０ａが形成されており、最上段の外ケース１０の上端部に形成された係合部１０ａとはめ込まれ固定される。
【００１１】
さらに外ケース１０の底面には、前記係合部１０ａがはめ込まれる、上板２０に形成された前記被係合部２０ａと同様の溝状の被係合部が一体形成されている。従って、被係合部に係合部１０ａをはめ込むことで、各外ケース１０同士が上下に強固に固定される。
【００１２】
前記係合部１０ａは、薄く長い板材１０ｂが外ケース１０の側面上端部から上方へ突出して外ケース１０の長手方向に設けられ、これに垂直に連設された支持片１０ｃが所定間隔ごとに配置されてなっている。この支持片１０ｃは、前記板材１０ｂから、外ケース１０の幅方向外側へ突出形成されている。
【００１３】
上板２０は、略矩形板状とされ、その各側端縁には下方への延出部２０ｃが一体形成されている。この上板２０の裏面には、延出部２０ｃと平行に溝形成リブ２０ｅが一体形成され、この溝形成リブ２０ｅと、延出部２０ｃとにより側端辺に沿って下方に開口する凹溝状の被係合部２０ａを形成している。この凹溝の幅は、外ケース１０に設けられた板材１０ｂと支持片１０ｃを合わせた幅と適合しており、両者からなる係合部１０ａと嵌合されるようになっている。
上板２０の下面後端部には、溝形成リブ２０ｅと延出部２０ｃにより帯板固定溝２０ｂが形成されている。
【００１４】
帯板固定溝２０ｂには、上板２０の幅をほぼ３等分する位置にリブ２１ａが形成されており、帯板固定溝２０ｂが溝幅方向に拡開するのを防止している。
本実施例の収納ケース用留具は、最上段の外ケース１０と上板２０との間に挟み込まれる所要の長さを有する帯板部１と、帯板部１の一端部が収納ケースに取り付けられるケース取付部と、帯板部１に接続され壁や柱等に固定される固定具２とを備える。
【００１５】
ケース取付部は、帯板部１の厚さより十分大きい太さを有し、外ケース１０に上板２０がはめ込まれたとき、上板２０の周壁の内側に位置する。図示の例では、帯板部１が収納ケースの延出部２０ｃと外ケース１０との接合部から抜けないように上板２０の下面後端部中央に設けられた帯板固定溝２０ｂにはめ込まれる係止具３に帯板部１を掛け回して、最上段の外ケース１０と上板２０の間に帯板部１を押さえつけるように挟み込んでいる。
図７は、係止具３の一例を示し、（ａ）は正面図、(ｂ)は側面図である。
【００１６】
前記帯板部１は、帯状で例えば布あるいはプラスチックフィルムで形成されている。
図示の固定具２は、略Ｌ字形の金具であり、前記帯板部１の幅より若干大きく、その一片には、ネジ挿通穴２ｂが３個形成されており、他片には前記帯板部１が挿通可能な矩形の穴２ａが形成されている。
【００１７】
さらに前記係止具３は、図７に示すように、略丸棒状の金具であり、その幅Ｗ１は上板２０に設けられた帯板固定溝２０ｂにはまる程度の大きさであり、その軸方向中央部の周側面には、左右の周側面より小径なくぼみ３ａが形成されている。
【００１８】
このくぼみ３ａの幅Ｗ２は、帯板部１の幅に適合しており、その高さは、帯板部１の厚みに適合している。これにより、帯板部１が係止具３に通されたとき、中央部は盛り上ることなく一体化される。なお、帯板部１の折り返し部で輪を作るように、互いに縫合して、その輪で係止具３を挟み込むようにすると、くぼみ３ａに係止具３が引っかかり抜け落ちない。
【００１９】
前記帯板部１は、固定具２の穴２ａに通され、環状に形成される。このとき、調整具４を介して環状を形成し、帯板部１の長さ調整可能とするのが好ましい。この調整具４は、樹脂等で略日の字形に形成されており、帯板部１の両端をまず片方の穴から通してから、もう一方の穴に通して、帯板部１の長さを調整可能としている。
このような環状の帯板部１が二つ折りされて、固定具２が一端側に、係止具３が他端側に、そして調整具４が中央に配置される。
【００２０】
次に、本発明の収納ケース用留具の使用状態について説明する。
図６は本発明の収納ケース用留具の使用状態を示す図である。
通常、収納ケースは、各外ケース１０の背面を壁に沿って配置して使用される。
【００２１】
まず、最上段の外ケース１０にはめ込まれた上板２０を外し、図１に示すように、係止具３を上板２０の帯板固定溝２０ｂにはめ込み、帯板部１の一部を外ケース１０と上板２０に挟み込みながら上板２０をはめ直し、元の状態に戻す。
このとき、上板２０に帯板部１が接触する部分に帯板溝２０ｄを図１に示すように形成してもよい。この帯板溝２０ｄの幅は、帯板部１の幅と同じか若干大きい程度であり、帯板溝２０ｄの高さは、上板２０を外ケース１０にはめる際に、帯板部１が外方にムリなく導出できる程度になっている。
【００２２】
上板２０には、前述したように被係合部２０ａが形成されており、最上段の外ケース１０に形成された係合部１０ａにはめ込まれ固定される。これにより、帯板部１は上板２０と外ケース１０の間にきつく挟み込まれ、しっかりと固定される。このとき係合部１０ａと被係合部２０ａとの係合により上板２０が外れるのを防止している。
さらに、係止具３を上板２０に形成された帯板固定溝２０ｂに、はめ込んでいることで、強い力が帯板部１にかかった場合の抜け落ちを阻止している。
【００２３】
そして、図６に示すように固定具２を収納ケースの上方で壁にネジＳで取り付けて固定する。
また、しっかりと固定させるために、調整具４で帯板部１の長さを調整し、帯板部１が張るようにする。
これで収納ケースは、しっかり固定され、左右に転倒する危険性はなくなる。
【００２４】
なお、本発明の収納ケース用留具は上記実施例の構成に限らず適宜、変更可能である。
【００２５】
【発明の効果】
以上詳述したように、本発明の収納ケース用留具によれば、収納ケースの構造に特別な変更を要することなく簡易な構造で、容易に設置でき、且つ収納ケースの転倒を防止することができ、細幅な収納ケースの高さを十分高くして使用することを可能とする。
【図面の簡単な説明】
【図１】本発明の収納ケース用留具の一実施例を示すであり、収納ケース上端部への取付時の状態を示す分解斜視図である。
【図２】図１の収納ケース用留具の収納ケース上端部への取付状態を示す縦断面図である。
【図３】図１の収納ケース用留具が設置された収納ケースを示す図であり、その縦断面図である。
【図４】図１の収納ケース用留具が設置された収納ケースを示す図であり、その正面図である。
【図５】図１の収納ケース用留具が設置された状態の上板の底面図である。
【図６】図１の収納ケース用留具の使用状態を示す斜視図である。
【図７】係止具を示す図であり、（ａ）は正面図、（ｂ）は側面図である。
【符号の説明】
１  帯板部
２  固定具
３  係止具
４  調整具
１０  外ケース
１０ａ  係合部
１１  内ケース
２０  上板
２０ａ  被係合部
２０ｂ  帯板固定溝
【図１】
0003639237.tif 000002
【図２】
0003639237.tif 000003
【図３】
0003639237.tif 000004
【図４】
0003639237.tif 000005
【図５】
0003639237.tif 000006
【図６】
0003639237.tif 000007
【図７】
0003639237.tif 000008